【手続補正書】
【提出日】平成19年9月26日(2007.9.26)
【手続補正１】
【補正対象書類名】特許請求の範囲
【補正対象項目名】全文
【補正方法】変更
【補正の内容】
【特許請求の範囲】
【請求項１】
被検体の３次元の血流像を撮像するための撮影領域のうち、パワーを空間的に変化させた励起パルスであるＩＳＣＥパルスのパワーが小さい部分に脂肪成分が多い領域が含まれるように、前記撮影領域および前記ＩＳＣＥパルスのパワーを設定する撮影領域設定手段と、
前記撮影領域設定手段により設定された前記撮影領域における前記血流像を作成するために前記ＩＳＣＥパルスを印加して磁気共鳴信号を収集するイメージングシーケンスおよび前記ＩＳＣＥパルスの印加に先立ってＭＴ効果を得るためのプリパルスを印加するプリパルスシーケンスを有するパルスシーケンスを設定するパルスシーケンス設定手段と、
前記パルスシーケンス設定手段により設定された前記パルスシーケンスで規定される撮影条件に従って、静磁場中の前記被検体に対して傾斜磁場の印加および高周波信号の送信を行なう一方、前記被検体内部における前記ＩＳＣＥパルスによる原子核の核磁気共鳴に伴って発生した前記磁気共鳴信号を受信し、デジタル化することにより生データを生成する生データ収集手段と、
前記生データ収集手段により生成された前記生データから前記血流像として３次元画像データを生成する血流像生成手段と、
を有することを特徴とする磁気共鳴イメージング装置。
【請求項２】
臨床上画像化が必要な血管部分を被検体の３次元の血流像を撮像するための撮影領域に含みつつ脂肪成分が多い領域をパワーを空間的に変化させた励起パルスであるＩＳＣＥパルスのパワーが小さい部分とできるように前記撮影領域に含まれる各スライス断面の向きを設定するオブリーク断面設定手段と、
前記オブリーク断面設定手段により設定された向きの前記各スライス断面により形成される前記撮影領域のうち、前記ＩＳＣＥパルスのパワーが小さい部分に前記脂肪成分が多い領域が含まれるように、前記撮影領域および前記ＩＳＣＥパルスのパワーを設定する撮影領域設定手段と、
前記撮影領域設定手段により設定された前記撮影領域における前記血流像を作成するために前記ＩＳＣＥパルスを印加して磁気共鳴信号を収集するイメージングシーケンスおよび前記ＩＳＣＥパルスの印加に先立ってＭＴ効果を得るためのプリパルスを印加するプリパルスシーケンスを有するパルスシーケンスを設定するパルスシーケンス設定手段と、
前記パルスシーケンス設定手段により設定された前記パルスシーケンスで規定される撮影条件に従って、静磁場中の前記被検体に対して傾斜磁場の印加および高周波信号の送信を行なう一方、前記被検体内部における前記ＩＳＣＥパルスによる原子核の核磁気共鳴に伴って発生した前記磁気共鳴信号を受信し、デジタル化することにより生データを生成する生データ収集手段と、
前記生データ収集手段により生成された前記生データから前記血流像として３次元画像データを生成する血流像生成手段と、
を有することを特徴とする磁気共鳴イメージング装置。
【請求項３】
被検体の３次元の血流像を撮像するための撮影領域のうち、パワーを空間的に変化させた励起パルスであるＩＳＣＥパルスのパワーが小さい部分に脂肪成分が多い領域が含まれるように、前記撮影領域および前記ＩＳＣＥパルスのパワーを設定する撮影領域設定手段と、
前記撮影領域設定手段により設定された前記撮影領域における前記血流像を作成するための前記ＩＳＣＥパルスの印加に先立ってＭＴ効果を得るために印加されるプリパルスのフリップアングルを前記ＩＳＣＥパルスではない励起パルスを用いてスキャンを実行する場合に設定されるフリップアングルよりも小さく、かつ前記ＩＳＣＥパルスを用いて脂肪成分からのＭＲ信号を低下させた場合に血流と実質部とのコントラストが要求されるコントラストとなるときのフリップアングルよりも大きい値に設定するフリップアングル設定手段と、
前記フリップアングル設定手段により設定されたフリップアングルとなるようにプリパルスを印加するプリパルスシーケンスおよび前記ＩＳＣＥパルスを印加して磁気共鳴信号を収集するイメージングシーケンスを有するパルスシーケンスを設定するパルスシーケンス設定手段と、
前記パルスシーケンス設定手段により設定された前記パルスシーケンスで規定される撮影条件に従って、静磁場中の前記被検体に対して傾斜磁場の印加および高周波信号の送信を行なう一方、前記被検体内部における前記ＩＳＣＥパルスによる原子核の核磁気共鳴に伴って発生した前記磁気共鳴信号を受信し、デジタル化することにより生データを生成する生データ収集手段と、
前記生データ収集手段により生成された前記生データから前記血流像として３次元画像データを生成する血流像生成手段と、
を有することを特徴とする磁気共鳴イメージング装置。
【請求項４】
被検体の頭部の血流像を撮像する磁気共鳴イメージング装置において、
前記被検体の眼窩を含む領域に撮影領域を設定すると共に、前記撮影領域より前記被検体の頭頂部側にあり、ＭＴ効果を得るためのプリパルスが印加されるプリパルス領域を設定する領域設定手段と、
前記プリパルス領域に前記プリパルスを印加するプリパルスシーケンスと、前記プリパルスを印加した後、前記眼窩側よりも前記頭頂部側のパワーが大きいＩＳＣＥパルスを前記撮影領域に印加するイメージングシーケンスを設定するパルスシーケンス設定手段と、
前記プリパルスシーケンスおよび前記イメージングシーケンスを印加することにより得られる磁気共鳴信号を収集する収集手段と、
前記収集手段で得られた磁気共鳴信号からＭＩＰ画像を生成する画像生成手段と、
を有することを特徴とする磁気共鳴イメージング装置。
【請求項５】
臨床上画像化が必要な血管部分を前記撮影領域に含みつつ前記脂肪成分が多い領域を前記ＩＳＣＥパルスのパワーが小さい部分とできるように前記撮影領域に含まれる各スライス断面の向きを設定するオブリーク断面設定手段を設け、前記撮影領域設定手段が前記オブリーク断面設定手段により設定された向きの前記各スライス断面で形成される前記撮影領域を設定するように構成する一方、前記プリパルスのフリップアングルを前記ＩＳＣＥパルスではない励起パルスを用いてスキャンを実行する場合に設定されるフリップアングルよりも小さく、かつ前記ＩＳＣＥパルスを用いて脂肪成分からのＭＲ信号を低下させた場合に血流と実質部とのコントラストが要求されるコントラストとなるときのフリップアングルよりも大きい値に設定するフリップアングル設定手段とを設け、前記フリップアングル設定手段により設定されたフリップアングルとなるように前記プリパルスを印加する前記プリパルスシーケンスを前記パルスシーケンス設定手段が設定するように構成したことを特徴とする請求項１記載の磁気共鳴イメージング装置。
【請求項６】
前記撮影領域を前記被検体の頭部とし、前記脂肪成分が多い領域を前記被検体の眼窩における脂肪成分の領域としたことを特徴とする請求項１ないし３のいずれか１項に記載の磁気共鳴イメージング装置。
【手続補正２】
【補正対象書類名】明細書
【補正対象項目名】発明の名称
【補正方法】変更
【補正の内容】
【発明の名称】磁気共鳴イメージング装置
【手続補正３】
【補正対象書類名】明細書
【補正対象項目名】０００１
【補正方法】変更
【補正の内容】
【０００１】
本発明は、被検体の原子核スピンをラーモア周波数のＲＦ信号で磁気的に励起し、この励起に伴って発生する磁気共鳴信号から画像を再構成する磁気共鳴イメージング装置に係り、特に脂肪抑制用のプリパルスを用いることなく脂肪成分からの信号強度を抑制し、より良好なコントラストで血流像を得ることが可能な磁気共鳴イメージング装置に関する。
【手続補正４】
【補正対象書類名】明細書
【補正対象項目名】００３０
【補正方法】変更
【補正の内容】
【００３０】
本発明はかかる従来の事情に対処するためになされたものであり、脂肪抑制用のプリパルスを用いることなく脂肪成分からの信号強度を抑制し、より良好なコントラストで血流像を得ることが可能な磁気共鳴イメージング装置を提供することを目的とする。
【手続補正５】
【補正対象書類名】明細書
【補正対象項目名】００３５
【補正方法】削除
【補正の内容】
【手続補正６】
【補正対象書類名】明細書
【補正対象項目名】００３６
【補正方法】削除
【補正の内容】
【手続補正７】
【補正対象書類名】明細書
【補正対象項目名】００３７
【補正方法】削除
【補正の内容】
【手続補正８】
【補正対象書類名】明細書
【補正対象項目名】００３８
【補正方法】変更
【補正の内容】
【００３８】
本発明に係る磁気共鳴イメージング装置においては、脂肪抑制用のプリパルスを用いることなく脂肪成分からの信号強度を抑制し、より良好なコントラストで血流像を得ることができる。